(57)【要約】  【課題】  リストに登録する利用者識別情報の信頼性を確保できる情報通信端末を提供する。  【解決手段】  友人リストに登録された他端末の利用者の識別情報に基づいて、前記他端末との間で通信を行う場合に、前記識別情報を前記リストに登録するための登録要求を前記他端末へ送信し（Ｓ１０１）、前記登録要求に対する応答を受信し（Ｓ１０４）、前記応答に含まれる前記識別情報（端末Ｂのデータ）を格納する。【選択図】  図５
2006040014.tif 000002
【特許請求の範囲】
【請求項１】
自端末側リストに登録された他端末の利用者の識別情報に基づいて、前記他端末との間で通信を行う情報通信端末であって、
前記識別情報を前記リストに登録するための登録要求を前記他端末へ送信する送信手段と、
前記登録要求に対する応答を受信する受信手段と、
前記応答に含まれる前記識別情報を前記リストに登録する登録手段とを備える情報通信端末。
【請求項２】
請求項１記載の情報通信端末であって、
前記識別情報のうち、前記利用者を特定する公開可能な情報のみを表示させる表示制御手段を備える情報通信端末。
【請求項３】
自端末側リストに登録された他端末の利用者の識別情報に基づいて、前記他端末との間で通信を行う通信方法であって、
前記識別情報を前記リストに登録するための登録要求を前記他端末へ送信し、
前記登録要求に対する応答を受信し、
前記応答に含まれる前記識別情報を前記リストに登録する通信方法。
【請求項４】
自端末側リストに登録された他端末の利用者の識別情報に基づいて、前記他端末との間で通信を行う情報通信端末の制御プログラムであって、コンピュータを、
前記識別情報を前記リストに登録するための登録要求を前記他端末へ送信する送信手段、
前記登録要求に対する応答を受信する受信手段、
前記応答に含まれる前記識別情報を前記リストに登録する登録手段、として機能させるための制御プログラム。
【発明の詳細な説明】
【技術分野】
【０００１】
本発明は、紹介サービス等に用いられる情報通信端末に関する。
【背景技術】
【０００２】
インターネットを介して共通の趣味趣向や目的を有するグループなどにメンバーを登録したり、検索によりグループ内のメンバーを紹介したりするサービスがある。このようなサービスの利用者は、インターネット接続環境の向上、特に携帯電話などの携帯通信端末の普及により急増し、それに伴って近年悪意のある利用者による犯罪が社会問題化している。このサービスは、仮想世界において知り合いを作ることができるという反面、登録されている人物の信頼性などが乏しく、気軽に利用しにくいサイトもあるというのが現状である。そのため、例えば、特定の趣味を持つことなどを検索条件としてグループ内のメンバー検索を行う場合に、メンバーの検索範囲を当該検索実行者の知り合い等に限定するなど、人物等の検索、紹介をより安全に行う紹介システムなどが提案されている（例えば、特許文献１参照）。
【０００３】
一方、例えば、特定の趣味を持つことなどを検索条件としてグループ内のメンバー検索を行い、該当者全員へ情報を送信しようとする場合、従来は、自らが所有する情報通信端末内に作成した友人リスト（例えば、メールアドレスリスト）などの中で検索を行い、メールの同報送信機能などを利用してリスト内の該当メンバー全員にメールを送信していた。
【特許文献１】特開２００２−１６９９１８号公報（第４−８頁、第１図）
【発明の開示】
【発明が解決しようとする課題】
【０００４】
しかしながら上記従来の紹介システムでは、例えば、悪意のある利用者が、全く面識のない第三者の電話番号やメールアドレスなどを知り得て、知り合いであるかのごとく登録したりすれば、当該第三者の情報が意図せず別な人物に紹介されてしまう虞がある等、重要な個人情報の安全性に問題があった。また、上記のように登録されている人物の信頼性（例えば、本当に知り合いであるか否か）が確保されていないため、安全性を高めようとすると紹介や検索の範囲が狭められ、有効な友人紹介や友人検索が行えないという問題があった。
【０００５】
本発明は、上記従来の事情に鑑みてなされたものであり、リストに登録する利用者識別情報の信頼性を確保できる情報通信端末を提供することを目的とする。
【課題を解決するための手段】
【０００６】
本発明の情報通信端末は、自端末側リストに登録された他端末の利用者の識別情報に基づいて、前記他端末との間で通信を行う情報通信端末であって、前記識別情報を前記リストに登録するための登録要求を前記他端末へ送信する送信手段と、前記登録要求に対する応答を受信する受信手段と、前記応答に含まれる前記識別情報を前記リストに登録する登録手段とを備える。
【０００７】
上記構成によれば、前記応答に含まれる識別情報を前記リストに登録する手段を備えることにより、他端末の利用者の許可を受けた信頼性の高い識別情報のみがリストに登録される為、リストに登録する利用者識別情報の信頼性を確保できる。
【０００８】
また、本発明の情報通信端末は、前記識別情報のうち、前記利用者を特定する公開可能な情報のみを表示させる表示制御手段を備える。上記構成によれば、識別情報のうち、利用者を特定する公開可能な情報のみを表示させることにより、公開可能な情報以外は秘匿できる為、登録された利用者の個人情報を保護できる。
【発明の効果】
【０００９】
本発明の情報通信端末によれば、応答に含まれる識別情報を自端末側リストに登録する手段を備えることにより、他端末の利用者の許可を受けた信頼性の高い識別情報のみがリストに登録される為、リストに登録する利用者識別情報の信頼性を確保できる。
【発明を実施するための最良の形態】
【００１０】
以下、本発明の実施の形態を説明するための紹介システムについて、図面を用いて詳細に説明する。尚、以下の実施の形態では、情報通信端末として携帯電話端末を用いた紹介システムの例について説明する。
【００１１】
図１は、本発明の実施の形態を説明するための情報通信端末の内部構成を示す図であり、図２は、本発明の実施の形態を説明するための紹介システムのシステム構成例を示す図である。紹介システムは、相互に通信可能な複数の情報通信端末で構成される。情報通信端末は、主に、制御部１０、通信手段２０、個人情報登録手段３０、個人情報データ領域４０、友人リストデータ領域５０、などで構成される。
【００１２】
制御部１０は、ＣＰＵ、ＲＯＭ、ＲＡＭ（いずれも図示省略）などで構成され、情報通信端末各部の動作を統括制御する。制御部１０は、更に、友人リスト登録手段１１、友人リスト登録応答手段１２、友人紹介要請手段１３、友人紹介手段１４、友人紹介応答手段１５、情報発信手段１６、情報発信応答手段１７、を有する。
【００１３】
友人リスト登録手段１１は、識別情報を前記リストに登録するための登録要求を前記他端末へ送信し、登録要求に対する応答を受信し、応答に含まれる前記識別情報を前記リストに登録する機能を有する。友人リスト登録手段１１は、後述する識別情報を相手情報通信端末へ送信して、相手情報通信端末が管理する友人リストへの当該識別情報の登録が検知された場合のみ、相手情報通信端末から送信された相手の識別情報を自らが管理する友人リストに登録する。友人リスト登録応答手段１２は、相手情報通信端末からの登録要求に応答するものである。友人リスト登録応答手段１２は、相手情報通信端末から相手の識別情報が送信されたことを検知して、識別情報を自らが管理する友人リストに登録する場合のみ、自らの識別情報を相手情報通信端末へ送信する。
【００１４】
友人紹介要請手段１３は、自らの友人リストに登録された相手情報通信端末に別の友人紹介の要請を行うものである。友人紹介要請手段１３は、紹介対象の情報通信端末が友人リストへの登録を承諾した場合のみ、紹介対象の情報通信端末から取得した紹介対象の識別情報を自らが管理する友人リストに登録し、同時に自らの識別情報を紹介対象の情報通信端末へ送信する。友人紹介手段１４は、自らの友人リストに登録された相手情報通信端末からの友人紹介要請を検知して、紹介対象の情報通信端末へ、友人紹介要請元の情報通信端末と一時的に通信可能となる識別情報を送信して友人紹介可否の問い合わせを行い、問い合わせ結果を友人紹介要請元の情報通信端末へ送信する。
【００１５】
友人紹介応答手段１５は、友人紹介要請元（紹介要請端末）からの紹介要請を受けた仲介端末への紹介を許可するものである。友人紹介応答手段１５は、自らの友人リストに登録された相手情報通信端末から送信された、友人紹介要請元の情報通信端末と一時的に通信可能となる通信情報を検知して、友人紹介要請元の情報通信端末の友人登録を承諾した場合のみ、この通信情報を取得し、更に自らの識別情報を友人紹介要請元の情報通信端末へ送信する。
【００１６】
情報発信手段１６は、自らの友人リストに登録された相手情報通信端末に任意の情報を送信するものである。情報発信応答手段１７は、発信元端末から送信された情報を中継するものであり、友人リストを参照して、受信した情報の中継先を特定し、特定した中継先に情報を送信する。情報発信応答手段１７は、自らの友人リストに登録された相手情報通信端末から任意の情報を受信し、受信した情報を後述する個人情報について比較し、所定の条件を満たす（比較結果が一致）と判断した場合のみ発信元端末への応答を行う。尚、当該情報通信端末が、ユーザーの入力によって、比較結果が一致である場合の発信元端末への応答を制限する手段を備えることにより、受信した情報が個人情報と一致する場合であっても、ユーザーは発信元端末への応答を拒否できる。また、情報発信応答手段１７は、受信した前記任意の情報を自らの友人リストに登録された別の相手情報通信端末へ送信することを、中継段数を制限する制限情報に基づいて、予め設定された回数だけ繰り返す。
【００１７】
以上の、友人登録リスト手段１１、友人リスト登録応答手段１２、友人紹介要請手段１３、友人紹介手段１４、友人紹介応答手段１５、情報発信手段１６、情報発信応答手段１７、の各機能は、制御部１０のＣＰＵ（図示省略）が各手段に係わるプログラムを実行することにより実現される。即ち、上記各手段はプログラムの形態で制御部１０内のＲＯＭ（図示省略）に格納されている。
【００１８】
通信手段２０は、情報通信端末がその他の情報通信端末と通信して通話やデータの送受信を行うための通信装置で構成される。具体的には、通信手段２０は無線電話網を介して地上基地局との間で無線通信を行い、以降公衆電話網やインターネット網を介して別の情報通信端末と接続する。
【００１９】
個人情報登録手段３０は、情報通信端末の入力部（図示省略）を含み、情報通信端末に係わる識別情報とそのユーザーに係わる識別情報とを後述する個人情報データ領域４０に登録する。登録は、情報通信端末のユーザーの入力動作に応じて行われる。
【００２０】
個人情報データ領域４０は、情報通信端末に係わる識別情報とそのユーザーに係わる識別情報とを格納するメモリ領域である。ここで識別情報について具体的に説明する。情報通信端末に係わる識別情報とは、情報通信端末固有の電話番号、電子メールアドレス、赤外線通信または一時的な通信が行える端末データなどであり、ユーザーに係わる識別情報とは、当該情報通信端末を使用するユーザーの氏名、年齢、性別、ニックネーム、趣味などである。情報通信端末に係わる識別情報とユーザーに係わる識別情報とは一意に対応する。
【００２１】
図３は、個人情報データ領域に保存される識別情報のデータ構成例を概念的に示す図である。友人として登録させたい相手情報通信端末へ自らの個人情報を送信する場合、友人リスト登録手段１１が選択して送信する項目は、ニックネーム、電話番号、電子メールアドレスの３つの項目のみである。図に示すように、各項目は公開または秘匿が区別されている。これは、データごとに公開または秘匿を示すタグが付与されているためであり、この情報は他の情報通信端末の友人リストに登録される際も保持される。保存するデータは、暗号化してもよい。尚、識別情報の各項目が公開可能か否かは予め設定されているが、例えば、性別や年齢などの重要度の低い項目の公開可否はユーザーが任意に設定できるようにしてもかまわない。
【００２２】
友人リストデータ領域５０は、相手情報通信端末から取得した識別情報を格納するメモリ領域である。このメモリ領域は、情報通信端末のユーザーがアクセスできないシステム領域内に確保される。情報通信端末のユーザー同士が相互に同意して友人登録動作を行うと、相手が送信した識別情報がこのメモリ領域に保存される。図４は、友人リストデータ領域に保存される識別情報のデータ構成例を概念的に示す図である。図に示すように、尚、友人リストに格納される識別情報は、ニックネーム、電話番号、電子メールアドレスの３項目である。友人リストを参照しても、公開可能な項目（例えば、図４の例ではニックネーム）しか表示されないので、ユーザーがそれ以外の重要な個人情報を把握して悪用することはできない。一方、リスト参照時に、表示されたニックネームを選択する等の操作をユーザーが行うことにより、制御部１０は、秘匿して格納されている識別情報に基づいて、当該ニックネームに対応する情報通信端末への発呼や電子メールの送信を命令する。つまり、電話番号や電子メールアドレスなどの重要な個人情報は秘匿し、ニックネームだけに基づいて双方が電話による会話や電子メールのやり取りを行うことができるので、後述するように、極めて安全性の高い友人紹介や情報発信などが行える。尚、後述するように、友人に関する詳細な情報（例えば、性別や趣味など）をこの友人リストに関連付けて別途格納できるようにすれば、特定の項目で友人リストを検索し、条件に合致する友人を抽出することも可能となる。
【００２３】
次に、上記構成の情報通信端末の動作について説明する。
【００２４】
はじめに、情報通信端末間で相互に友人登録を行う場合（即ち、情報通信端末Ａのユーザーと情報通信端末Ｂのユーザーが互いに相手を友人として登録する場合）の友人登録動作について説明する。
【００２５】
図５は、友人登録動作の流れを示すタイミングチャートである。情報通信端末Ａのユーザーと情報通信端末Ｂのユーザーが互いに会う（あるいは以前からの知り合いである）などして面識を得ている場合には、双方が同意のうえで相手を「友人」として登録する。まず、情報通信端末Ａのユーザーが友人登録のための所定の操作を行うと、制御部１０ａは、個人情報データ領域４０ａからニックネーム、電話番号、メールアドレスの識別情報を取得する。そして、ニックネーム、電話番号、メールアドレスの３つを友人登録用の識別データとして、通信手段２０ａを介して情報通信端末Ｂへ送信させる（ステップＳ１０１）。
【００２６】
情報通信端末Ｂの制御部１０ｂは、情報通信端末Ａから送信された識別情報を、通信手段２０ｂを介して検知する（ステップＳ１０２）、情報通信端末Ｂのユーザーが、受信した識別情報を情報通信端末Ｂに登録する操作、即ち友人登録を許諾する操作を行うと、制御部１０ｂは、友人リスト登録応答手段１２ｂに、受信した識別情報を友人リストデータ領域５０ｂへ保存させる。更に、友人リスト登録応答手段１２ｂは、個人情報データ領域４０ｂから上記と同様の手順で取得した友人登録用の識別情報を、通信手段２０ｂを介して情報通信端末Ａへ送信する（ステップＳ１０３）。
【００２７】
情報通信端末Ｂから送信された友人登録用の識別情報を、通信手段２０ａを介して受信した制御部１０ａは、情報通信端末Ｂが情報通信端末Ａを友人リストに登録したと判断して、リスト登録手段１１ａに、受信した識別情報を友人リストデータ領域５０ａに保存させる（ステップＳ１０４）。以上の手順により、情報通信端末Ａと情報通信端末Ｂとの間で友人登録が完了する。尚、ステップＳ１０５からステップＳ１０８までの同様な手順により、情報通信端末Ａと情報通信端末Ｃとの間でも友人登録が完了する。これで図４に示すような友人リストが生成されるが、例えば、友人登録後に電話や電子メールのやり取り等で親しくなり、更に詳細な個人情報を公開しても良いと判断した相手について、性別や趣味など、自分の個人情報（図３参照）と同様の項目について手動で情報交換を行うことにより、詳細な情報を含む別リストを友人リストに関連付けて作成することもできる。
【００２８】
図６は、友人登録動作の各手順における双方の情報通信端末の画面表示例を示す図である。ステップＳ１０１において、携帯通信端末Ａの表示部（図示省略）には友人登録しようとする相手が携帯通信端末Ｂであることが表示される（図６（ａ））。ステップＳ１０２において、情報通信端末Ｂの表示部には、情報通信端末Ａから識別情報が送信され、情報通信端末Ａが友人登録待ちであることが表示される（図６（ｂ））。ステップＳ１０３において、情報通信端末Ｂのユーザーが、表示部に表示される選択画面（図６（ｃ））で友人登録を承諾すると、情報通信端末Ａの識別情報が情報通信端末Ｂの友人リストに追加されたことが表示される（図６（ｄ））。一方、ステップＳ１０４において、情報通信端末Ａの表示部には、情報通信端末Ｂから受信した識別情報が情報通信端末Ａの友人リストに追加されたことが表示される（図６（ｅ））。
【００２９】
以上のように、相手の承諾がないと双方の友人登録が行えないため、登録された友人情報に高い信頼性が確保される。また、友人情報の照会が行われる際に重要な個人情報が公開されないため、高い安全性が確保される。
【００３０】
次に、友人登録を行っている情報通信端末からの要請を受けて、同じく友人登録を行っている別の情報通信端末を紹介する場合（即ち、情報通信端末Ａのユーザーの友人である情報通信端末Ｃのユーザーから友人紹介を依頼され、情報通信端末Ａのユーザーの友人である情報通信端末Ｂのユーザーの承諾を得たうえで、紹介対象の情報通信端末Ｂに紹介要請元の情報通信端末Ｃの識別情報を送信する場合）の友人紹介動作について説明する。
【００３１】
図７は、友人紹介動作の流れを示すタイミングチャートである。尚、ここでは情報通信端末Ａのユーザーが、友人登録している情報通信端末Ｂのユーザーを情報通信端末Ｃのユーザーに紹介しようとする場合の例について説明する。
【００３２】
情報通信端末Ａと互いに友人登録を行っている情報通信端末Ｃのユーザーが、情報通信端末Ａのユーザーに新たな友人を紹介してもらいたい場合、情報通信端末Ａに対して友人紹介要請を行う。まず、情報通信端末Ｃのユーザーが友人紹介要請のための所定の操作を行うと、制御部１０ｃは、友人紹介要請手段１３ｃに、通信手段２０を介して情報通信端末Ａへ友人紹介の要請を送信させる（ステップＳ２０１）。
【００３３】
はじめに、友人紹介要請手段１３ｃは、ニックネーム、電話番号、メールアドレスの識別情報を取得する。そして、電話番号及びメールアドレスのデータに当該データの使用可能な回数や使用可能時間の条件を付加して生成した“一時的な通信が行える端末データ”（以下、一時的な端末ＩＤと称する）とニックネームを友人登録要請用の識別データとして、通信手段２０ｃを介して送信する。
【００３４】
尚、友人登録要請用の識別データには、個人情報データ領域４０ｃに格納されているその他の識別情報（例えば、性別や趣味）や、紹介してもらいたい友人に関する検索条件などをオプション情報として付加して送信してもかまわない。また、情報通信端末Ｃのユーザーが、情報通信端末Ａが紹介する情報通信端末のユーザーに自分のニックネームを公開したくない場合、ニックネームに代えて“一時的なニックネーム”情報（一時的なニックネームまたはそれに相当する記号や番号など）をオプション情報として付加してもよい。一時的なニックネームを使用する場合、通常のニックネームは秘匿される。
【００３５】
情報通信端末Ａの制御部１０ａは、情報通信端末Ｃからの友人紹介の要請を受信すると（ステップＳ２０２）、友人紹介手段１４ａに、友人リスト５０ａを検索させる（情報通信端末Ｃから送信された識別情報に、オプション情報として検索条件が付加されている場合。友人リスト５０には、ニックネームと電話番号とメールアドレスのみが格納されるが、上述の通り、リストによっては性別や趣味などの詳細な情報が関連付けて保存されている友人データもあるため、情報通信端末Ｃから送信された検索条件をキーに検索することも可能である）。ユーザーは、その中から紹介先情報通信端末として適切な情報通信端末を選択する尚、紹介先とする情報通信端末は、情報通信端末Ａのユーザーが手動で直接指定しても何等かまわない。
【００３６】
図７の例では、紹介先情報通信端末として情報通信端末Ｂが選択されるので、友人紹介手段１４ａは、通信手段２０ａを介して情報通信端末Ｂへ友人紹介の問い合わせを送信する（ステップＳ２０３）。このとき、友人紹介手段１４ａは、情報通信端末Ｃから送信されたニックネーム（または一時的なニックネーム）と一時的な端末ＩＤの識別情報をそのまま情報通信端末Ｂへ送信するものであり、情報通信端末Ａが保持している情報通信端末Ｃに関わる情報を情報通信端末Ｂへ開示しているのではない。即ち、友人紹介を行う情報通信端末が、自らが保持する他の情報通信端末の情報を開示することはない。
【００３７】
通信手段２０ｂを介して情報通信端末Ａからの友人紹介の問い合わせを受信した情報通信端末Ｂの制御部１０ｂは（ステップＳ２０４）、紹介可否のユーザー入力を待機し、情報通信端末Ｂのユーザーが紹介承諾の操作を行うと、友人紹介応答手段１５ｂに、通信手段２０ｂを介して紹介承諾の応答を送信させる（ステップＳ２０５）。
【００３８】
尚、情報通信端末Ｂのユーザーが紹介拒否の操作を行った場合、情報通信端末Ｂの制御部１０ｂは、情報通信端末Ｃのニックネーム（または一時的なニックネーム）と一時的な端末ＩＤの識別情報を保存しない。そのため、友人紹介要請元である情報通信端末Ｃに係わる識別情報が不用意に情報通信端末Ｂに蓄積されることがなく、友人リストに登録された識別情報の安全性と信頼性を確保することができる。
【００３９】
情報通信端末Ｂから送信された紹介承諾の応答を受信した情報通信端末Ａの制御部１０ａは（ステップＳ２０６）、友人紹介手段１４ａに、通信手段２０ａを介して紹介承諾の応答を情報通信端末Ｃへ送信させる（ステップＳ２０７）。尚、応答が紹介拒否である場合も同様に情報通信端末Ｃへ送信されるので、情報通信端末Ｃの制御部１０ｃは、通信手段２０ｃを介して友人紹介の要請に対する応答を受信できる（ステップＳ２０８）。
【００４０】
ステップＳ２０５で、紹介承諾の応答を友人紹介応答手段１５ｂが情報通信端末Ａに送信すると、制御部１０ｂは、情報通信端末Ｂが情報通信端末Ｃとの友人登録を行うと判断し、友人リスト登録手段１１ｂに、情報通信端末Ｂの友人登録用の識別情報を、通信手段２０ｂを介して情報通信端末Ｃへ送信させる（ステップＳ２０９）。尚、このとき情報通信端末Ｃとの通信が可能となるのは、ステップＳ２０１で情報通信端末Ｃが送信した友人登録要請用の識別データの一時的な端末ＩＤに、一時的に有効な情報通信端末Ｃのメールアドレスが含まれているからである。
【００４１】
ここで、一時的な端末ＩＤについて図７の例を用いて説明する。ステップＳ２０１で情報通信端末Ｃが生成する一時的な端末ＩＤは、情報通信端末Ｂなどのその他の情報通信端末を情報通信端末Ｃと一時的に通信可能とするためのＩＤであり、電話番号またはメールアドレスに基づいて生成される。例えばメールアドレスの場合、情報通信端末Ｃのメールアドレスデータに、当該アドレスの使用回数または使用可能時間等を設定する。例えば、使用回数を１回に設定する場合、情報通信端末Ｂから情報通信端末Ｃへ電子メールが１回送信されると、その時点でそのメールアドレスデータは消去される。従って、情報通信端末Ｃの重要な個人情報が悪用されるのを防止できる。尚、情報通信端末Ｂなどのその他の情報通信端末のユーザーが、受信した一時的な端末ＩＤからメールアドレスや電話番後などの情報を把握することはできない。情報通信端末Ｂのユーザーは、一時的な端末ＩＤはニックネームと一意に対応するので、ニックネームを指定することによってのみ、当該ニックネームのユーザーが所有する情報通信端末へ電話発信や電子メール送信を行うことができる。
【００４２】
尚、このステップＳ２０９からステップＳ２１２までの手順は、前述の友人登録動作の手順を示す図５のタイミングチャートにおけるステップＳ１０１からステップＳ１０４までの手順と同じである（即ち、情報通信端末Ｂの友人リスト登録手段１１ｂと情報通信端末Ｃの友人リスト登録応答手段１２ｃが動作して友人登録が行われる）ので説明を省略する。以上の手順により、情報通信端末Ａが、友人紹介を要請した情報通信端末Ｃへ情報通信端末Ｂを紹介する友人紹介が完了する。
【００４３】
図８は、友人紹介動作の各手順における各情報通信端末の画面表示例を示す図である。ステップＳ２０１において、携帯通信端末Ｃの表示部（図示省略）には友人紹介を要請する相手が携帯通信端末Ａであることが表示される（図８（ａ））。ステップＳ２０２において、情報通信端末Ａの表示部には、情報通信端末Ｃから友人紹介要請を受信したことが表示される（図８（ｂ））。情報通信端末Ｃから、オプション情報として検索条件などが付加されて送信されている場合、当該検索条件に基づいた検索を情報通信端末Ａの友人紹介手段１４ａが行い、紹介相手を抽出する（図８（ｃ）。ステップＳ２０３において、情報通信端末Ａのユーザーが適切な紹介相手端末として情報通信端末Ｂを選択し、情報通信端末Ｂへ友人紹介許可問い合わせを送信すると、情報通信端末Ｂの表示部には問い合わせを受信した旨の表示が行われる（図８（ｄ））。同時に、情報通信端末Ｂの表示部には、紹介要請元である情報通信端末Ｃのユーザーのニックネーム（または一時的なニックネーム）が表示され、更に、オプション情報を付加して送信している場合は、自らの性別や趣味の情報なども合わせて表示される（図８（ｅ））。
【００４４】
情報通信端末Ｂから送信される友人紹介許可応答（ステップＳ２０５）は、情報通信端末Ａが受信して（ステップＳ２０６）、そのまま紹介要請元の情報通信端末Ｃへ転送される（ステップＳ２０７）ので、このとき情報通信端末Ａの表示部には画像表示は行われない（図８（ｆ））。一方、情報通信端末Ｂが紹介承諾の応答を行った場合、ステップＳ２０８において、情報通信端末Ｃの表示部には、情報通信端末Ａが友人紹介に成功した旨を示す表示が行われる（図８（ｇ）。また、情報通信端末Ｂのユーザーが図８（ｅ）の表示に対して紹介承諾の応答を行った時点で、情報通信端末Ｂから情報通信端末Ｃへの通信を開始する。このときの通信接続の確立は、情報通信端末Ｃの一時的な端末ＩＤに基づいて行われる。
【００４５】
以上の手順では、友人紹介の問い合わせを受けた情報通信端末Ｂの方が、紹介要請元の情報通信端末Ｃよりも先に友人登録の手続きを開始するようにしたが、紹介要請元の情報通信端末Ｃの方から友人登録の手続きを開始させるようにすることもできる。
【００４６】
図９は、友人紹介動作の流れを示すもう一つのタイミングチャートである。図７と同様に、情報通信端末Ａのユーザーが、友人登録している情報通信端末Ｂのユーザーを情報通信端末Ｃのユーザーに紹介しようとする場合の例である。図７と比較して、ステップＳ２０４より後の手順（図９におけるステップＳ２２０からステップＳ２２７まで）が異なる。ステップＳ２０１からステップＳ２０４までは同じ手順であるので説明を省略する。
【００４７】
ステップＳ２０４で、友人紹介の問い合わせを受信した情報通信端末Ｂの制御部１０ｂは、ユーザーが紹介承諾の操作を行うと、友人紹介応答手段１５ｂに、情報通信端末Ｂの一時的な端末ＩＤを付加して紹介承諾の応答を送信させる（ステップＳ２２０）。
【００４８】
情報通信端末Ｂから送信された情報通信端末Ｂの一時的な端末ＩＤと紹介承諾の応答を受信した情報通信端末Ａの制御部１０ａは（ステップＳ２２１）、友人紹介手段１４ａに、通信手段２０ａを介して情報通信端末Ｂの一時的な端末ＩＤと紹介承諾の応答を情報通信端末Ｃへ送信させる（ステップＳ２２２）。情報通信端末Ｃの制御部１０ｃは、通信手段２０ｃを介して情報通信端末Ｂの一時的な端末ＩＤと紹介承諾の応答を受信する（ステップＳ２２３）。
【００４９】
紹介承諾の応答と情報通信端末Ｂの一時的な端末ＩＤを受信した情報通信端末Ｃの友人リスト登録手段は、この一時的な端末ＩＤを利用して、友人登録動作を開始する（ステップＳ２２４）。尚、このステップＳ２２４からステップＳ２２７までの手順は、前述の友人登録動作の手順を示す図５のタイミングチャートにおけるステップＳ１０１からステップＳ１０４までの手順と同じである（即ち、情報通信端末Ｃの友人リスト登録手段１１ｃと情報通信端末Ｂの友人リスト登録応答手段１２ｂが動作して友人登録が行われる）ので説明を省略する。以上の手順によれば、紹介要請元である情報通信端末Ｃの方から友人登録を開始することになるので、紹介を要請された側の端末が先に要請元にアクセスする必要がなく、自らの識別情報を不用意に外部に送信しないという観点からも好ましい。
【００５０】
尚、友人紹介の要請は、自端末の友人リストデータ領域５０に友人として登録されている情報通信端末に対してのみ行うことができる。即ち、友人同士でなければ友人紹介の機能は利用できない。
【００５１】
以上のように、紹介対象となる相手の承諾がないと友人紹介要請元への友人紹介が完了しないため、紹介された新たな友人は、信頼性の高い友人から紹介された友人であるという信頼性が確保される。また、友人情報の照会が行われる際に重要な個人情報が公開されないため、高い安全性が確保される。
【００５２】
次に、任意の情報を情報通信端末から友人登録を行っている任意の情報通信端末へ発信する際に、発信した情報が、送信先となる情報通信端末の友人リストに登録されているすべての情報通信端末まで伝達される場合（即ち、情報通信端末Ａのユーザーが、友人登録している情報通信端末Ｂのユーザーへ電子メールを送信すると、その電子メールが情報通信端末Ｂを中継点として、情報通信端末Ｂのユーザーの友人である情報通信端末Ｃのユーザーまで伝達される場合）の情報発信動作について説明する。
【００５３】
図１０は、情報発信動作の流れを示すタイミングチャートである。尚、ここでは情報通信端末Ａのユーザーが情報通信端末Ｂのユーザーのみを友人登録しており、また情報通信端末Ｂのユーザーが情報通信端末Ｃのユーザーのみを友人登録している場合の例について説明する。
【００５４】
情報通信端末Ｂと互いに友人登録を行っている情報通信端末Ａのユーザーが、自分の友人リストに登録されたユーザー全員と更にその友人に電子メールで情報を発信したい場合、情報通信端末Ａの操作者は、送信先の情報通信端末が電子メールの中継点となる回数（中継段数を制限する制限情報）を設定してから、友人登録された情報通信端末Ｂのユーザーへ電子メールを送信する。まず、情報通信端末Ａのユーザーが電子メールを作成して友人登録されたすべての情報通信端末へ送信する所定の操作を行うと、制御部１０ａは、情報発信手段１６ａに、友人リストデータ領域５０に友人登録された情報通信端末を抽出し、この場合、通信手段２０ａを介して情報通信端末Ｂへ電子メールを送信させる（ステップＳ３０１）。尚、ここでは、情報通信端末Ａのユーザーは、情報通信端末を電子メールの中継点とする回数を１回（中継段数：２）と予め設定しているものとする。
【００５５】
通信手段２０ｂを介して情報通信端末Ａから送信された電子メールを受信した制御部１０ｂは、情報発信応答手段１７ｂに、受信メールの情報を表示させ（ステップＳ３０２）、更に、自端末が１回目の中継点であることを把握し、友人リストデータ領域５０ｂから友人登録されている情報通信端末を抽出して中継先を特定し、特定したすべての情報通信端末へ電子メールを送信させる。この場合、友人登録されている情報通信端末が情報通信端末Ｃのみであるので、受信した電子メールを情報通信端末Ｃへ送信する（ステップＳ３０３）。通信手段２０ｃを介して情報通信端末Ｂから送信された電子メールを受信した制御部１０ｃは、表示部に受信メールの情報を表示させる（ステップＳ３０４）。
【００５６】
尚、上記では、電子メールの送信先の情報通信端末を中継点とする回数を１回と予め設定した場合について説明したが、２回に設定した場合は、更に情報通信端末Ｃの友人リストに友人登録されているすべての情報通信端末まで電子メールの送信が行われる。また、個人情報データ領域４０に格納する識別情報に、友人からの電子メールを受け取るか否かの設定や、更に情報通信端末を中継した回数により電子メールの受信可否を設定できるようにしておいてもよい（例えば、情報通信端末を２回中継して送信される電子メールは、メール受信者の友人の友人の友人から送信されており、遠い友人からの電子メールということになるので受信を拒否するなど）。
【００５７】
図１１は、情報発信動作の各手順における各情報通信端末の画面表示例を示す図である。最初に、携帯通信端末Ａの表示部（図示省略）には友人登録している情報通信端末が携帯通信端末Ｂであることが表示され（図１１（ａ））、電子メールの編集を選択すると（図１１（ｂ））、電子メール入力画面となる（図１１（ｃ））。ステップＳ３０１において作成した電子メールが送信されると、ステップＳ３０２において、情報通信端末Ｂの情報発信応答手段１７ｂが、電子メール受信の報知（図１１（ｄ））と内容表示（図１１（ｅ））を行う。更に、ステップＳ３０４において、情報通信端末Ｃの情報発信応答手段１７ｃが、電子メール受信の報知（図１１（ｆ））と内容表示（図１１（ｇ））を行う。
【００５８】
以上のように、ユーザーが指定した制限情報に基づいて、送信先の情報通信端末の友人リストに友人登録された情報通信端末までも情報発信することができるため、自分の管理する友人リスト内だけでなく、その友人に係わる友人や更にその友人に係わる友人までなど、特定の関係を有する多数の端末に情報を発信することができる。また、一方で所定の条件に応じて情報の受信を拒否することもできるため、送信者と受信者のニーズに合致した情報発信が可能である。
【００５９】
次に、情報発信動作の別の例について説明する。ここでは、発信される情報を検索条件として、友人の検索を行う場合（即ち、情報通信端末Ａのユーザーが設定した所定の検索条件を満たす情報通信端末の検索を、最初に情報通信端末Ａの友人リストに友人登録された情報通信端末、次に、情報通信端末Ａの友人リストに登録された情報通信端末の友人リストに友人登録された情報通信端末、などと情報通信端末が検索範囲を中継して拡大していく場合）の友人検索動作について説明する。
【００６０】
図１２は、友人検索動作の流れを示すタイミングチャートである。尚、ここでは情報通信端末Ａのユーザーが情報通信端末Ｂのユーザーのみを友人登録しており、また情報通信端末Ｂのユーザーが情報通信端末Ｃのユーザーのみを友人登録している場合の例について説明する。情報通信端末Ａのユーザーは、友人登録されている識別情報の中から趣味情報「テニス」を検索条件に設定して友人検索を行う。最初に、情報通信端末Ａのユーザーが検索条件とキーワードとして設定して検索を実行する所定の操作を行うと、情報通信端末Aの制御部１０ａは、情報発信手段１６ａに、友人リストデータ領域５０ａに友人登録された情報通信端末すべてに検索条件情報を送信させる（ステップＳ４０１）。この場合、通信手段２０ｂを介して情報通信端末Ｂが検索条件情報を受信する（ステップＳ４０２）。情報通信端末Ｂの情報発信応答手段１７ｂは、個人情報データ領域４０ｂに格納された識別情報を検索条件情報で検索するが、情報通信端末Ｂの個人情報データ領域４０ｂに登録された趣味情報は「ボート」であるので、目的とする情報通信端末を検索できない。ここでは、発信された情報に対する応答の可否を、検索条件情報と趣味情報の一致に設定しているので、情報通信端末Ｂの情報発信応答手段１７ｂは情報通信端末Ａへの応答を行わない（ステップＳ４０３）。
【００６１】
次に、情報通信端末Ｂの制御部１０ｂは、情報発信応答手段１７ｂに、友人リストデータ領域５０ｂに友人登録された情報通信端末すべてに検索条件情報を送信させる（ステップＳ４０４）。この場合、通信手段２０ｃを介して情報通信端末Ｃが検索条件情報を受信する（ステップＳ４０５）。情報通信端末Ｃの情報発信応答手段１７ｃは、個人情報データ領域４０ｃに格納された識別情報を検索条件情報で検索する。この場合、個人情報データ領域４０ｃに登録された趣味情報は「テニス」であるので、検索条件情報を合致する。情報通信端末Ｃの制御部１０ｃは、友人検索への応答可否のユーザー入力を待機し、情報通信端末Ｃのユーザーが友人検索への応答承諾の操作を行うと、情報発信応答手段１７ｃに、友人検索への応答を行う（ステップＳ４０６）。友人検索への応答を受信した情報通信端末Ａ（ステップＳ４０７）と情報通信端末Ｃとは、前述の友人登録の手順に従って、双方で友人登録を行うことができる。
【００６２】
尚、ここでは、情報通信端末Ａのユーザーは、情報通信端末を検索条件情報の中継点とする回数を１回と予め設定した場合について説明したが、２回に設定した場合は、更に情報通信端末Ｃの友人リストに友人登録されているすべての情報通信端末まで検索条件情報の送信が行われる。また、中継段数を制限する制限情報は検索条件情報の発信を行うユーザーが任意に設定できるようにしておいてよい。また、個人情報データ領域４０に格納する識別情報に、友人検索を承諾するか否かの設定や、更に情報通信端末を中継した回数により友人検索の承諾可否を設定できるようにしておいてもよい（例えば、情報通信端末を２回中継して送信される検索条件情報は、友人検索者の友人の友人の友人を検索しており、遠い友人からの友人検索ということになるので友人検索を拒否するなど）。
【００６３】
図１３は、友人検索動作の各ステップにおける各情報通信端末の画面表示例を示す図である。ステップＳ４０１において、携帯通信端末Ａのユーザーが検索キーワードを入力して（図１３（ａ））検索を開始すると、ステップＳ４０２において情報通信端末Ｂに検索条件情報が送信されるが、検索が失敗するので情報通信端末Ｂの表示部には表示が行われず（図１３（ｂ））、情報通信端末Ａへの応答も行われない。次に、ステップＳ４０５において情報通信端末Ｃが検索条件情報を受信し、検索に成功すると、情報通信端末Ｃの表示部には友人検索されたことを示す表示が行われる（図１３（ｃ））。情報通信端末Ｃのユーザーが友人検索への応答承諾の操作を行うと（図１３（ｄ））、ステップＳ４０６で情報通信端末Ａへ応答が送信され、ステップＳ４０７において情報通信端末Ａには応答受信の検索結果が表示される（図１３（ｅ））。
【００６４】
以上のように、ユーザーが指定した制限情報に基づいて、送信先の情報通信端末の友人リストに友人登録された情報通信端末へ検索条件情報を伝達することができるため、自分の管理する友人リスト内だけでなく、その友人に係わる友人や更にその友人に係わる友人までなど、特定の関係を有する多数の端末にわたって検索を行うことができる。また、一方で検索条件を満たす情報通信端末であっても、ユーザーの選択により発信元端末への応答を拒否することもできるため、検索者と被検索者のニーズに合致した検索が可能である。
【００６５】
尚、以上の実施の形態において、識別情報は、その他の項目を任意に設定してもかまわない。特に、ユーザーに係わる識別情報は、趣味以外にも出身地や情報通信端末の現在位置情報などの項目を追加して、これを検索条件として検索が行えるようにしてもかまわない。
【００６６】
また、以上の実施の形態では、友人リストデータ領域を情報通信端末内に確保する構成としたが、情報通信端末と接続する通信ネットワーク上に設けたデータベース内に友人リストを格納する構成としてもかまわない。
【００６７】
図１４は、外部のデータベースに友人リストを格納する場合の友人登録や友人紹介の状況を概念的に示す図である。このように情報通信端末外に友人リストを格納することにより、友人登録されている相手の電話番号やメールアドレスなどの重要な個人情報（秘匿情報）を情報通信端末が保持しないため、よりセキュアな紹介システムを構築することができる。
【００６８】
尚、以上の実施の形態では、情報通信端末として携帯電話端末を用いて説明したが、これに限定されるものではなく、ＰＨＳ電話端末、パーソナルコンピュータ端末、ＰＤＡ端末など、インターネット等の通信ネットワークに接続可能な情報通信端末であればどのようなものでも本発明の主旨を実行可能であることは言うまでもない。
【産業上の利用可能性】
【００６９】
本発明の情報通信端末は、応答に含まれる識別情報を自端末側リストに登録する手段を備えることにより、他端末の利用者の許可を受けた信頼性の高い識別情報のみがリストに登録される為、リストに登録する利用者識別情報の信頼性を確保できる効果を有し、紹介サービス等に用いられる情報通信端末等に有用である。
【図面の簡単な説明】
【００７０】
【図１】本発明の実施の形態を説明するための情報通信端末の内部構成を示す図
【図２】本発明の実施の形態を説明するための紹介システムのシステム構成例を示す図
【図３】個人情報データ領域に保存される識別情報のデータ構成例を概念的に示す図
【図４】友人リストデータ領域に保存される識別情報のデータ構成例を概念的に示す図
【図５】友人登録動作の流れを示すタイミングチャート
【図６】友人登録動作の各手順における双方の情報通信端末の画面表示例を示す図
【図７】友人紹介動作の流れを示すタイミングチャート
【図８】友人紹介動作の各手順における各情報通信端末の画面表示例を示す図
【図９】友人紹介動作の流れを示すもう一つのタイミングチャート
【図１０】情報発信動作の流れを示すタイミングチャート
【図１１】情報発信動作の各手順における各情報通信端末の画面表示例を示す図
【図１２】友人検索動作の流れを示すタイミングチャート
【図１３】友人検索動作の各ステップにおける各情報通信端末の画面表示例を示す図
【図１４】外部のデータベースに友人リストを格納する場合の友人登録や友人紹介の状況を概念的に示す図
【符号の説明】
【００７１】
１０  制御部
１１  友人リスト登録手段
１２  友人リスト登録応答手段
１３  友人紹介要請手段
１４  友人紹介手段
１５  友人紹介応答手段
１６  情報発信手段
１７  情報発信応答手段
２０  通信手段
３０  個人情報登録手段
４０  個人情報データ領域
５０  友人リストデータ領域
１００、２００、３００  情報通信端末
【図１】
2006040014.tif 000003
【図２】
2006040014.tif 000004
【図３】
2006040014.tif 000005
【図４】
2006040014.tif 000006
【図５】
2006040014.tif 000007
【図６】
2006040014.tif 000008
【図７】
2006040014.tif 000009
【図８】
2006040014.tif 000010
【図９】
2006040014.tif 000011
【図１０】
2006040014.tif 000012
【図１１】
2006040014.tif 000013
【図１２】
2006040014.tif 000014
【図１３】
2006040014.tif 000015
【図１４】
2006040014.tif 000016